(57)【要約】【課題】容器の液取り出し口の漏れを改善する外蓋、内蓋組み合わせ構造を提供することを目的とする。【解決手段】液取り出し口２に、容器を密閉する内蓋５が取り付けられている。内蓋５で液取り出し口２を塞いだ状態で、さらにその上から外蓋６が蓋をする。外蓋６の内面には、液取り出し口２の外面に設けられたねじ山２ａに嵌まり込むネジ溝６ａが形成されている。内蓋５は、液取り出し口２に嵌り込んでポリ容器を密閉する嵌まり込み部７を含む。嵌まり込み部７は、底面７ａと、該底面７ａの外周に沿って設けられた側壁７ｂとからなる。嵌まり込み部７の側壁７ｂの内側の面には内方向に膨出する膨出部８が設けられている。外蓋６の天井面には、外蓋６を液取り出し口２に螺合させたときに嵌まり込み部７の膨出部８を押圧することにより、該嵌まり込み部７を内側から外側に向けて押し広げるための押え部材９が設けられている。【選択図】図１
2010052799.tif 000002
【特許請求の範囲】
【請求項１】
容器の液取り出し口の漏れを改善する外蓋、内蓋組み合わせ構造であって、
前記液取り出し口を塞ぐように取り付けられ、前記容器を密閉する内蓋と、
前記液取り出し口の外面に設けられたねじ山に嵌まり込むネジ溝がその内面に設けられ、前記内蓋で前記液取り出し口を塞いだ状態でさらにその上から該液取り出し口に螺合させて蓋をする外蓋とを備え、
前記内蓋は、底面と、該底面の外周から該底面に対して略鉛直方向に延びる側壁とを有する、前記液取り出し口に嵌り込んで該液取り出し口を塞ぐ嵌まり込み部を含み、
前記嵌まり込み部の前記側壁の内側の面には内方向に膨出する膨出部が設けられ、
前記外蓋の天井面には、前記外蓋を前記液取り出し口に螺合させたときに前記嵌まり込み部の前記膨出部を押圧することにより、該嵌まり込み部を内側から外側に向けて押し広げるための押え部材が設けられている、漏れを改善する外蓋、内蓋組み合わせ構造。
【請求項２】
前記嵌まり込み部の前記膨出部は、前記嵌まり込み部の内側の側壁に周方向に沿って丘状に設けられており、
前記押え部材は、前記外蓋の天井面に設けられた、その稜線が円を描くように設けられた円筒状突起により形成される請求項１に記載の漏れを改善する外蓋、内蓋組み合わせ構造。
【請求項３】
前記嵌まり込み部の前記膨出部の上端部は平面又は斜面にされており、
前記外蓋を回転させながら前記液取り出し口に螺合させていく時に、前記円筒状突起の先端が、前記内側膨出部の前記平面又は斜面を押すことにより、前記押え部材が前記膨出部を押圧し、それによって前記嵌まり込み部を内側から外側に向けて押し広げる請求項２に記載の漏れを改善する外蓋、内蓋組み合わせ構造。
【請求項４】
容器の液取り出し口の漏れを改善する外蓋、内蓋組み合わせ構造であって、
前記液取り出し口を塞ぐように取り付けられ、前記容器を密閉する内蓋と、
前記液取り出し口の外面に設けられたねじ山に嵌まり込むネジ溝がその内面に設けられ、前記内蓋で前記液取り出し口を塞いだ状態でさらにその上から該液取り出し口に螺合させて蓋をする外蓋とを備え、
前記内蓋は、底面と、該底面の外周から該底面に対して略鉛直方向に延びる側壁とからなる前記液取り出し口に嵌り込んで該液取り出し口を塞ぐ嵌まり込み部を含み、さらに前記側壁の上端から外方向に延びる内蓋天面とを有し、
前記内蓋の、前記側壁と前記内蓋天面とを接続する部分は、断面形状で円弧状の斜面にされており、
前記外蓋の天井面には、前記外蓋を前記液取り出し口に螺合させたときに前記円弧状の斜面を押圧することにより、前記嵌まり込み部を内側から外側に向けて押し広げるための押え部材が設けられている、漏れを改善する外蓋、内蓋組み合わせ構造。
【発明の詳細な説明】
【技術分野】
【０００１】
本発明は液取り出し口における漏れを改善する外蓋、内蓋組み合わせ構造に関する。
【背景技術】
【０００２】
図５（Ａ）は、従来のポリ容器１の単体の上方から見た図であり、図５（Ｂ）は側方から見た図である。これらの図に示すように、ポリ容器１には液取り出し口２が設けられている。液取り出し口２には、図６を参照して、内蓋３と外蓋４が取り付けられている。内蓋３は、側壁と底面を有する、液取り出し口２に嵌り込んでポリ容器を密閉する嵌まり込み部３ａを有する。嵌まり込み部３ａが液取り出し口２の内面に接するように嵌まり込むことによって、嵌まり込み部３ａの側壁と液取り出し口２の内壁とが強く密着し、ポリ容器１が密閉され、液漏れが防止される。外蓋４の内壁面には、液取り出し口３ａの外面に設けられたねじ山に嵌まり込む、ねじ溝が設けられている。外蓋４を回転させながら液取り出し口２に螺合させて、嵌まり込み部３ａの側壁の上端から水平方向に延びる内蓋天面３ｂを締め付けることにより、液取り出し口２からの液漏れをさらに防いでいる。
【発明の開示】
【発明が解決しようとする課題】
【０００３】
従来のポリ容器は以上のように構成されているが、内蓋天面３ｂを外蓋４で締め付けるだけでは、嵌まり込み部３ａの側壁と液取り出し口２の内面との間に隙間が生じる場合があり、充分な密封性が保証されないという問題点があった。
【０００４】
本発明は、このような問題点を解決するためになされたもので、容器の液取り出し口の漏れを改善する外蓋、内蓋組み合わせ構造を提供することを目的とする。
【課題を解決するための手段】
【０００５】
本発明に係る容器の液取り出し口の漏れを改善する外蓋、内蓋組み合わせ構造は、上記液取り出し口を塞ぐように取り付けられ、上記容器を密閉する内蓋と、上記液取り出し口の外面に設けられたねじ山に嵌まり込むネジ溝がその内面に設けられ、上記内蓋で上記液取り出し口を塞いだ状態でさらにその上から該液取り出し口に螺合させて蓋をする外蓋とを備える。上記内蓋は、底面と、該底面の外周から該底面に対して略鉛直方向に延びる側壁とを有する、上記液取り出し口に嵌り込んで該液取り出し口を塞ぐ嵌まり込み部を含む。上記嵌まり込み部の上記側壁の内側の面には、内方向に膨出する膨出部が設けられている。上記外蓋の天井面には、上記外蓋を上記液取り出し口に螺合させたときに上記嵌まり込み部の上記膨出部を押圧することにより、該嵌まり込み部を内側から外側に向けて押し広げるための押え部材が設けられている。
【０００６】
本来、内蓋の側壁を押し広げるのに最も効果が高いのは、外蓋の押え部材の外径を内蓋側壁の内径に対して強嵌合にすることだが、この場合、外蓋の取り外し時に内蓋が外蓋に一体化してしまうため問題である。本発明によれば、側面から押し広げるのでなく、上側から押すことにより、内側側壁を広げるので、かかる問題が解決される。
【０００７】
外蓋の天井面に設けられた押え部材が、上記外蓋を上記液取り出し口に螺合させたときに上記嵌まり込み部の上記膨出部を押圧するので、該嵌まり込み部を内側から外側に向けて押し広げる。そのため、嵌まり込み部の側壁は、液取り出し口の内面に強く押し付けられ、両者の間に隙間は生じない。
【０００８】
上記嵌まり込み部の上記膨出部は、上記嵌まり込み部の内側の側壁に周方向に沿って丘状に設けられており、上記押え部材は、上記外蓋の天井面に設けられた、その稜線が円を描くように設けられた円筒状突起により形成されるのが好ましい。
【０００９】
上記嵌まり込み部の上記膨出部の上端部は平面又は斜面にされており、上記外蓋を回転させながら上記液取り出し口に螺合させていく時に、上記円筒状突起の先端が、上記内側膨出部の上記平面又は斜面を押すことにより、上記押え部材が上記膨出部を押圧し、それによって上記嵌まり込み部を内側から外側に向けて押し広げるのが好ましい。上記膨出部の上端部を平面にすることにより、上記膨出部を均一に押すことができる。
【００１０】
本発明の他の局面に従う液取り出し口の漏れを改善する外蓋、内蓋組み合わせ構造は、上記液取り出し口を塞ぐように取り付けられ、上記容器を密閉する内蓋と、上記液取り出し口の外面に設けられたねじ山に嵌まり込むネジ溝がその内面に設けられ、上記内蓋で上記液取り出し口を塞いだ状態でさらにその上から該液取り出し口に螺合させて蓋をする外蓋とを備える。上記内蓋は、底面と、該底面の外周から該底面に対して略鉛直方向に延びる側壁とからなる上記液取り出し口に嵌り込んで該液取り出し口を塞ぐ嵌まり込み部を含み、さらに上記側壁の上端から外方向に延びる内蓋天面とを有する。上記内蓋の、上記側壁と上記内蓋天面とを接続する部分は、断面形状で円弧状の斜面にされている。上記外蓋の天井面には、上記外蓋を上記液取り出し口に螺合させたときに上記円弧状の斜面を押圧することにより、上記嵌まり込み部を内側から外側に向けて押し広げるための押え部材が設けられている。
【発明の効果】
【００１１】
本発明に係る容器によれば、外蓋の天井面に設けられた押え部材が、上記外蓋を上記液取り出し口に螺合させたときに上記嵌まり込み部の上記膨出部を押圧するので、該嵌まり込み部を内側から外側に向けて押し広げる。そのため、嵌まり込み部の側壁は、液取り出し口の内面に強く押し付けられ、両者の間に隙間は生じない。その結果、充分な密封性が得られる。
【発明を実施するための最良の形態】
【００１２】
容器の液取り出し口の漏れを改善する外蓋、内蓋組み合わせ構造を得るという目的を、内蓋の嵌まり込み部の内側の側壁面には内方向に膨出する膨出部を設け、外蓋の天井面に、該外蓋を液取り出し口に螺合させたときに上記嵌まり込み部の上記膨出部を押圧することにより、該嵌まり込み部を内側から外側に向けて押し広げるための押え部材を設けることによって実現した。
以下この発明の実施例を、図面を用いて説明する。
【実施例１】
【００１３】
図１は、実施例１に係るポリ容器の液取り出し口部分の部分断面図である。図２（Ａ）は、図１におけるＡ部拡大図である。図２（Ｂ）は、変形例に係る。同一又は相当する部分には同一の参照番号を付し、その説明を繰り返さない。図３は、外蓋、内蓋、液取り出し口の立体的な概念図である。ポリ容器の本体部分の図示は省略している。
【００１４】
図１と図２（Ａ）を参照して、液取り出し口２を塞ぐように、該ポリ容器を密閉する内蓋５が取り付けられている。内蓋５で液取り出し口２を塞いだ状態で、さらにその上から外蓋６が蓋をする。外蓋６の内面には、液取り出し口２の外面に設けられたねじ山２ａに嵌まり込むネジ溝６ａが形成されている。内蓋５は、液取り出し口２に嵌り込んで該液取り出し口２を塞ぎ、ポリ容器を密閉する嵌まり込み部７を含む。嵌まり込み部７は、底面７ａと、該底面７ａの外周から該底面７ａに対して略鉛直方向に延びる側壁７ｂとからなる。これらは樹脂の成型により一体加工されている。嵌まり込み部７の側壁７ｂの内側の面には内方向に膨出する膨出部８が設けられている。これらは樹脂の成型により一体加工されている。外蓋６の天井面には、外蓋６を液取り出し口２に螺合させたときに嵌まり込み部７の膨出部８を押圧することにより、該嵌まり込み部７を内側から外側に向けて押し広げるための押え部材９が設けられている。外蓋６と押え部材９は樹脂の成型により一体加工されている。
【００１５】
外蓋６の天井面に設けられた押え部材９が、外蓋６を液取り出し口２に螺合させたときに嵌まり込み部７の膨出部８を押圧するので、該嵌まり込み部７を内側から外側に向けて押し広げる。そのため、嵌まり込み部７の側壁は、液取り出し口２の内面に強く押し付けられ、両者の間に隙間は生じない。
【００１６】
図２（Ａ）と図３を参照して、嵌まり込み部７の膨出部８は、嵌まり込み部７の側壁７ｂの内側の面の周方向に沿って丘状に設けられている。押え部材９は、外蓋６の天井面に設けられた円筒状突起であり、その稜線９ａは円を描いている。内蓋の嵌まり込み部７を液取り出し口２に嵌めこんだ状態で、外蓋６を回転させながら、液取り出し口ａに螺合させ、ねじ山２ａをネジ溝６ａに嵌めこむ。
【００１７】
図２（Ａ）を参照して、嵌まり込み部の膨出部８の上端部８ａは斜面にされている。このように構成すると、外蓋６を回転させながら液取り出し口２に螺合させていく時に、押え部材９である、上端部８ａの斜面に対応させて斜面にされた、円筒状突起の先端９ａが、内側膨出部８の上端部８ａの斜面を押圧することにより、膨出部８を大きな矢印方向に押圧し、それによって嵌まり込み部７を、小さな矢印で示すように内側から外側に向けて押し広げる。その結果、嵌まり込み部７の側壁７ｂは、液取り出し口２の内面に強く押し付けられ、両者の間に隙間は生じない。その結果、充分な密封性が得られる。
【００１８】
なお、図２（Ａ）では、嵌まり込み部の膨出部８の上端部８ａを斜面にする場合を例示したが、図２（Ｂ）に示す変形例のように、嵌まり込み部の膨出部８の上端部８ａを平面にし、上端部８ａの斜面に対応させて、円筒状突起の先端９ａを平面にしたものであっても相当の効果を奏する。
【００１９】
外蓋６に設けられた突起部１１及び内蓋５に設けられた突起部１２も密封性を高めるために寄与している。
【実施例２】
【００２０】
実施例１では、内蓋内面の膨出部を押え部材で押圧する場合を例示したが、この発明はこれに限られるものでない。図４（Ａ）は、実施例２に係るポリ容器の液取り出し口部分の部分断面図である。図４（Ｂ）は、その変形例に係る。図２に示す部材と同一又は相当する部分には同一の参照番号を付し、その説明を繰り返さない。
【００２１】
図４（Ａ）を参照して、内蓋５は、底面と、該底面の外周から該底面に対して略鉛直方向に延びる側壁７ｂとからなる液取り出し口２に嵌り込んで該液取り出し口２を塞ぐ嵌まり込み部を含み、さらに、側壁７ｂの上端から外方向に延びる内蓋天面７ｃとを有する。内蓋６の、側壁７ｂと内蓋天面７ｃとを接続する部分は、断面形状で円弧状の斜面７ｄにされている。外蓋６の天井面には、押え部材９（キャップリブ）が設けられる。押え部材９の、斜面７ｄと接触する面は斜面にされている。外蓋６を液取り出し口２に螺合させたときに、押え部材９が円弧状の斜面７ｄを大きい矢印の方向に押圧することにより、嵌まり込み部を内側から外側に向けて押し広げる。その結果、嵌まり込み部の側壁７ｂは、液取り出し口２の内面に小さな矢印の方向に強く押し付けられ、両者の間に隙間は生じない。その結果、充分な密封性が得られる。
【００２２】
なお、押え部材９の、斜面７ｄと接触する面は斜面にされている場合を例示したが、この発明はこれに限られるものでなく、押え部材９は、図４（Ｂ）に示すような、断面形状が矩形の円筒状の突起でもよい。
【００２３】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２４】
本発明によれば、容器の液取り出し口の漏れを改善する外蓋、内蓋組み合わせ構造が得られる。
【図面の簡単な説明】
【００２５】
【図１】実施例１に係るポリ容器の液取り出し口部分の部分断面図である
【図２】（Ａ）  図１におけるＡ部拡大図である。  （Ｂ）  実施例１の変形例に係る図である。
【図３】外蓋、内蓋、液取り出し口の立体的な概念図である。
【図４】（Ａ）  実施例２に係るポリ容器の液取り出し口部分の部分断面図である。  （Ｂ）  実施例２の変形例に係る図である。
【図５】（Ａ）は、従来のポリ容器の単体の上方から見た図である。  （Ｂ）は従来のポリ容器を側方から見た図である
【図６】ポリ容器に従来の蓋と外蓋が取り付けられた状態の部分断面図である。
【符号の説明】
【００２６】
１   ポリ容器
２   液取り出し口
２ａ ねじ山
３   内蓋
３ｂ 内蓋天面
４   外蓋
５   内蓋
６   外蓋
６ａ ネジ溝
７   嵌まり込み部
７ａ 底面
７ｂ 側壁
７ｃ 内蓋天面
７ｄ 斜面
８   膨出部
８ａ 上端部
９   押え部材
９ａ 押え部材の先端
【図１】
2010052799.tif 000003
【図２】
2010052799.tif 000004
【図３】
2010052799.tif 000005
【図４】
2010052799.tif 000006
【図５】
2010052799.tif 000007
【図６】
2010052799.tif 000008